(57)【要約】【課題】  撮影シーンに応じた適切な撮影条件を自動設定して撮影することのできるカメラ装置等を提供する。【解決手段】  ステップＳ１０１での判断の結果、シャッターキーが半押し操作された場合には、現在時刻に対応するスケジュールがあるか否かを判断する（ステップＳ１０６）。ある場合には、当該スケジュールの撮影条件識別情報に基づき撮影条件を読み出す（ステップＳ１０９）。例えば「スポーツ」の撮影条件である「フォーカス」＝ＡＦ、「シャッター速度」＝１／１０００、「絞り」＝オート、「ストロボ」＝オート・・・を読み出し、この読み出した撮影条件をセットする（ステップＳ１１０）。また、シャッターキーが全押しされた時点で撮影処理を実行する（ステップＳ１１２）。よって、ユーザがスケジュール時刻に撮影を行う際に、撮影条件設定操作を行う必要なく、撮影して画像を記憶メディアに記憶させることができる。【選択図】        図７
2005091659.tif 000002
【特許請求の範囲】
【請求項１】
複数の撮影条件を記憶する撮影条件記憶手段と、
スケジュール時刻、スケジュール内容及び撮影条件識別情報からなるスケジュール情報を記憶するスケジュール情報記憶手段と、
撮影時点に対応するスケジュール情報が前記スケジュール情報記憶手段に記憶されているか否かを判断する判断手段と、
この判断手段により前記撮影時点に対応するスケジュール情報が記憶されていると判断された場合、そのスケジュール情報の撮影条件識別情報に基づいて、前記撮影条件記憶手段に記憶されている複数の撮影条件のいずれかを選択して設定する設定手段と、
この設定手段により設定された撮影条件で撮影する撮影手段と
を備えることを特徴とするカメラ装置。
【請求項２】
前記撮影条件記憶手段は、複数の撮影条件識別情報に各々対応させて撮影条件を記憶し、
前記設定手段は、前記スケジュール情報の撮影条件識別情報に対応する撮影条件を前記撮影条件記憶手段から読み出して設定することを特徴とする請求項１記載のカメラ装置。
【請求項３】
複数の撮影条件を記憶する撮影条件記憶手段と、
スケジュール時刻及びスケジュール内容からなるスケジュール情報を記憶するスケジュール情報記憶手段と、
撮影時点に対応するスケジュール情報が前記スケジュール情報記憶手段に記憶されているか否かを判断する判断手段と、
この判断手段により前記撮影時点に対応するスケジュール情報が記憶されていると判断された場合、そのスケジュール情報のスケジュール内容に基づいて、前記撮影条件記憶手段に記憶されている複数の撮影条件のいずれかを選択して設定する設定手段と、
この設定手段により設定された撮影条件で撮影する撮影手段と
を備えることを特徴とするカメラ装置。
【請求項４】
外部から送信される前記スケジュール情報を受信する受信手段を更に有し、
前記スケジュール情報記憶手段は、前記受信手段により受信されたスケジュール情報を記憶することを特徴とする請求項１、２又は３記載のカメラ装置。
【請求項５】
複数の撮影条件を記憶する撮影条件記憶手段と、スケジュール時刻、スケジュール内容及び撮影条件識別情報からなるスケジュール情報を記憶するスケジュール情報記憶手段と、撮影手段とを備えるカメラ装置が有するコンピュータを、
撮影時点に対応するスケジュール情報が前記スケジュール情報記憶手段に記憶されているか否かを判断する判断手段と、
この判断手段により前記撮影時点に対応するスケジュール情報が記憶されていると判断された場合、そのスケジュール情報の撮影条件識別情報に基づいて、前記撮影条件記憶手段に記憶されている複数の撮影条件のいずれかを選択して設定する設定手段と、
この設定手段により設定された撮影条件で撮影するように前記撮影手段を制御する制御手段と
して機能させることを特徴とするカメラ制御プログラム。
【請求項６】
複数の撮影条件を記憶する撮影条件記憶手段と、スケジュール時刻及びスケジュール内容からなるスケジュール情報を記憶するスケジュール情報記憶手段と、撮影手段とを備えるカメラ装置が有するコンピュータを、
撮影時点に対応するスケジュール情報が前記スケジュール情報記憶手段に記憶されているか否かを判断する判断手段と、
この判断手段により前記撮影時点に対応するスケジュール情報が記憶されていると判断された場合、そのスケジュール情報のスケジュール内容に基づいて、前記撮影条件記憶手段に記憶されている複数の撮影条件のいずれかを選択して設定する設定手段と、
この設定手段により設定された撮影条件で撮影するように前記撮影手段を制御する制御手段と
して機能させることを特徴とするカメラ制御プログラム。
【請求項７】
スケジュール作成装置とカメラ装置とで構成されるカメラシステムであって、
前記スケジュール作成装置は、
スケジュール時刻、スケジュール内容及び撮影条件識別情報からなるスケジュール情報を作成する作成手段と、
この作成手段により作成された前記スケジュール情報を送信する送信手段と
を備え、
前記カメラ装置は、
複数の撮影条件を記憶する撮影条件記憶手段と、
前記スケジュール作成装置の送信手段により送信される前記スケジュール情報を受信する受信手段と、
この受信手段により受信された前記スケジュール情報を記憶するスケジュール情報記憶手段と、
撮影時点に対応するスケジュール情報が前記スケジュール情報記憶手段に記憶されているか否かを判断する判断手段と、
この判断手段により前記撮影時点に対応するスケジュール情報が記憶されていると判断された場合、そのスケジュール情報の撮影条件識別情報に基づいて、前記撮影条件記憶手段に記憶されている複数の撮影条件のいずれかを選択して設定する設定手段と、
この設定手段により設定された撮影条件で撮影する撮影手段と
を備えることを特徴とするカメラシステム。
【請求項８】
スケジュール作成装置とカメラ装置とで構成されるカメラシステムであって、
前記スケジュール作成装置は、
スケジュール時刻及びスケジュール内容からなるスケジュール情報を作成する作成手段と、
この作成手段により作成された前記スケジュール情報を送信する送信手段と
を備え、
前記カメラ装置は、
複数の撮影条件を記憶する撮影条件記憶手段と、
前記スケジュール作成装置の送信手段により送信される前記スケジュール情報を受信する受信手段と、
この受信手段により受信された前記スケジュール情報を記憶するスケジュール情報記憶手段と、
撮影時点に対応するスケジュール情報が前記スケジュール情報記憶手段に記憶されているか否かを判断する判断手段と、
この判断手段により前記撮影時点に対応するスケジュール情報が記憶されていると判断された場合、そのスケジュール情報のスケジュール内容に基づいて、前記撮影条件記憶手段に記憶されている複数の撮影条件のいずれかを選択して設定する設定手段と、
この設定手段により設定された撮影条件で撮影する撮影手段と
を備えることを特徴とするカメラシステム。
【発明の詳細な説明】
【技術分野】
【０００１】
本発明は、撮影条件を設定して撮影を行うカメラ装置、カメラ制御プログラム及びカメラシステムに関する。
【背景技術】
【０００２】
従来、撮影条件を設定して撮影を行うカメラ装置が提案されるに至っている。このカメラ装置は、撮影条件の設定モード状態で、「再生画像から設定」が選択されると、予め撮影されて記録されている画像を表示する。この表示された画像のいずれかが選択されると、この選択された画像を撮影した時の撮影条件を読み込み、当該撮影条件を設定してＲＥＣモードに移行し撮影待機状態となる。しかる後に、ユーザがシャッターキーを押下すると、前記設定した撮影条件で撮影を行い、これによりユーザは、過去に撮影して記録されている画像の撮影時と同一の撮影条件の下でで撮影を行うことができる（例えば、特許文献１参照。）。
【特許文献１】特開２００２−１０１３４号公報
【発明の開示】
【発明が解決しようとする課題】
【０００３】
しかしながら、従来のカメラ装置にあっては、前述したように、予め撮影記録した元となる画像の撮影条件を今回の撮影時に設定する構成であることから、元となる画像の撮影時には、ユーザ自らが絞り値やシャッタースピード等の撮影条件を設定する操作を行わなければならない。したがって、撮影条件の設定を撮影シーンに応じて完全自動化し得るものではなかった。また、呼び出されて設定される撮影条件は以前の撮影でユーザが設定してものであるから、必ずしも適切な撮影条件であるとは限らず、撮影シーンに応じた適切な撮影条件を設定し得るものでもなかった。
【０００４】
本発明は、かかる従来の課題に鑑みてなされたものであり、撮影シーンに応じた適切な撮影条件を自動設定して撮影することのできるカメラ装置、カメラ制御プログラム及びカメラシステムを提供することを目的とするものである。
【課題を解決するための手段】
【０００５】
前記課題を解決するために請求項１記載の発明に係るカメラ装置は、複数の撮影条件を記憶する撮影条件記憶手段と、スケジュール時刻、スケジュール内容及び撮影条件識別情報からなるスケジュール情報を記憶するスケジュール情報記憶手段と、撮影時点に対応するスケジュール情報が前記スケジュール情報記憶手段に記憶されているか否かを判断する判断手段と、この判断手段により前記撮影時点に対応するスケジュール情報が記憶されていると判断された場合、そのスケジュール情報の撮影条件識別情報に基づいて、前記撮影条件記憶手段に記憶されている複数の撮影条件のいずれかを選択して設定する設定手段と、この設定手段により設定された撮影条件で撮影する撮影手段とを備える。
【０００６】
したがって、予めスケジュール情報記憶手段にスケジュール時刻、スケジュール内容及び撮影条件識別情報からなるスケジュール情報を記憶させておくと、スケジュール時刻に撮影を行った場合には、そのスケジュール情報の撮影条件識別情報に基づいて、前記撮影条件記憶手段に記憶されている複数の撮影条件のいずれかが選択されて設定される。よって、ユーザは撮影条件設定操作を行う必要なく、自動的に設定された撮影条件で撮影を行うことができる。また、設定される撮影条件は、撮影条件記憶手段に記憶されている撮影条件であり、この撮影条件がスケジュール情報の撮影条件識別情報に基づいて選択されることから、スケジュール情報のスケジュール内容に応じたシーンに適切な撮影条件を自動設定して撮影を行うことができる。
【０００７】
また、請求項２記載の発明に係るカメラ装置は、前記撮影条件記憶手段は、複数の撮影条件識別情報に各々対応させて撮影条件を記憶し、前記設定手段は、前記スケジュール情報の撮影条件識別情報に対応する撮影条件を前記撮影条件記憶手段から読み出して設定する。したがって、ユーザが予め記憶させたスケジュール情報の撮影条件識別情報に対応する撮影条件で撮影がなされることから、ユーザは予め記憶させたスケジュール情報のスケジュール時刻に、所望の撮影条件が自動設定された状態で撮影を行うことができる。
【０００８】
また、請求項３記載の発明に係るカメラ装置は、複数の撮影条件を記憶する撮影条件記憶手段と、スケジュール時刻及びスケジュール内容からなるスケジュール情報を記憶するスケジュール情報記憶手段と、撮影時点に対応するスケジュール情報が前記スケジュール情報記憶手段に記憶されているか否かを判断する判断手段と、この判断手段により前記撮影時点に対応するスケジュール情報が記憶されていると判断された場合、そのスケジュール情報のスケジュール内容に基づいて、前記撮影条件記憶手段に記憶されている複数の撮影条件のいずれかを選択して設定する設定手段と、この設定手段により設定された撮影条件で撮影する撮影手段とを備える。
【０００９】
したがって、予めスケジュール情報記憶手段にスケジュール時刻及びスケジュール内容からなるスケジュール情報を記憶させておくと、スケジュール時刻に撮影を行った場合には、そのスケジュール情報のスケジュール内容に基づいて、前記撮影条件記憶手段に記憶されている複数の撮影条件のいずれかが選択されて設定される。よって、ユーザは撮影条件設定操作を行う必要なく、自動的に設定された撮影条件で撮影を行うことができる。また、設定される撮影条件は、撮影条件記憶手段に記憶されている撮影条件であり、この撮影条件がスケジュール情報のスケジュール内容に基づいて選択されることから、スケジュール内容に応じたシーンに適切な撮影条件を自動設定して撮影を行うことができる。
【００１０】
また、請求項４記載の発明に係るカメラ装置は、外部から送信される前記スケジュール情報を受信する受信手段を更に有し、前記スケジュール情報記憶手段は、前記受信手段により受信されたスケジュール情報を記憶する。したがって、カメラ装置自体にスケジュール作成機能を設ける必要がなく、カメラ装置の複雑化を伴わずに、スケジュール内容に応じたシーンに適切な撮影条件を自動設定して撮影を行うことができる。
【００１１】
また、請求項５記載の発明に係るカメラ制御プログラムは、複数の撮影条件を記憶する撮影条件記憶手段と、スケジュール時刻、スケジュール内容及び撮影条件識別情報からなるスケジュール情報を記憶するスケジュール情報記憶手段と、撮影手段とを備えるカメラ装置が有するコンピュータを、撮影時点に対応するスケジュール情報が前記スケジュール情報記憶手段に記憶されているか否かを判断する判断手段と、この判断手段により前記撮影時点に対応するスケジュール情報が記憶されていると判断された場合、そのスケジュール情報の撮影条件識別情報に基づいて、前記撮影条件記憶手段に記憶されている複数の撮影条件のいずれかを選択して設定する設定手段と、この設定手段により設定された撮影条件で撮影するように前記撮影手段を制御する制御手段として機能させる。したがって、前記コンピュータがこのプログラムに従って処理を実行することにより、請求項１記載の発明と同様の作用効果を奏する。
【００１２】
また、請求項６記載の発明に係るカメラ制御プログラムは、複数の撮影条件を記憶する撮影条件記憶手段と、スケジュール時刻及びスケジュール内容からなるスケジュール情報を記憶するスケジュール情報記憶手段と、撮影手段とを備えるカメラ装置が有するコンピュータを、撮影時点に対応するスケジュール情報が前記スケジュール情報記憶手段に記憶されているか否かを判断する判断手段と、この判断手段により前記撮影時点に対応するスケジュール情報が記憶されていると判断された場合、そのスケジュール情報のスケジュール内容に基づいて、前記撮影条件記憶手段に記憶されている複数の撮影条件のいずれかを選択して設定する設定手段と、この設定手段により設定された撮影条件で撮影するように前記撮影手段を制御する制御手段として機能させる。したがって、前記コンピュータがこのプログラムに従って処理を実行することにより、請求項３記載の発明と同様の作用効果を奏する。
【００１３】
また、請求項７記載の発明は、スケジュール作成装置とカメラ装置とで構成されるカメラシステムであって、前記スケジュール作成装置は、スケジュール時刻、スケジュール内容及び撮影条件識別情報からなるスケジュール情報を作成する作成手段と、この作成手段により作成された前記スケジュール情報を送信する送信手段とを備え、前記カメラ装置は、複数の撮影条件を記憶する撮影条件記憶手段と、前記スケジュール作成装置の送信手段により送信される前記スケジュール情報を受信する受信手段と、この受信手段により受信された前記スケジュール情報を記憶するスケジュール情報記憶手段と、撮影時点に対応するスケジュール情報が前記スケジュール情報記憶手段に記憶されているか否かを判断する判断手段と、この判断手段により前記撮影時点に対応するスケジュール情報が記憶されていると判断された場合、そのスケジュール情報の撮影条件識別情報に基づいて、前記撮影条件記憶手段に記憶されている複数の撮影条件のいずれかを選択して設定する設定手段と、この設定手段により設定された撮影条件で撮影する撮影手段とを備える。
【００１４】
したがって、ユーザは予めスケジュール作成装置により、スケジュール時刻、スケジュール内容及び撮影条件識別情報からなるスケジュール情報を作成し、このスケジュール情報をスケジュール作成装置からカメラ装置に送信する。すると、カメラ装置はこれを受信して記憶し、スケジュール時刻に撮影を行った場合には、そのスケジュール情報の撮影条件識別情報に基づいて、前記撮影条件記憶手段に記憶されている複数の撮影条件のいずれかを選択して設定する。よって、ユーザは撮影条件設定操作を行う必要なく、自動的に設定された撮影条件で撮影を行うことができる。また、設定される撮影条件は、撮影条件記憶手段に記憶されている撮影条件であり、この撮影条件がスケジュール情報の撮影条件識別情報に基づいて選択されることから、スケジュール情報のスケジュール内容に応じたシーンに適切な撮影条件を自動設定して撮影を行うことが可能なシステムを構築することができる。
【００１５】
また、請求項８記載の発明は、スケジュール作成装置とカメラ装置とで構成されるカメラシステムであって、前記スケジュール作成装置は、スケジュール時刻及びスケジュール内容からなるスケジュール情報を作成する作成手段と、この作成手段により作成された前記スケジュール情報を送信する送信手段とを備え、前記カメラ装置は、複数の撮影条件を記憶する撮影条件記憶手段と、前記スケジュール作成装置の送信手段により送信される前記スケジュール情報を受信する受信手段と、この受信手段により受信された前記スケジュール情報を記憶するスケジュール情報記憶手段と、撮影時点に対応するスケジュール情報が前記スケジュール情報記憶手段に記憶されているか否かを判断する判断手段と、この判断手段により前記撮影時点に対応するスケジュール情報が記憶されていると判断された場合、そのスケジュール情報のスケジュール内容に基づいて、前記撮影条件記憶手段に記憶されている複数の撮影条件のいずれかを選択して設定する設定手段と、この設定手段により設定された撮影条件で撮影する撮影手段とを備える。
【００１６】
したがって、ユーザは予めスケジュール作成装置により、スケジュール時刻及びスケジュール内容からなるスケジュール情報を作成し、このスケジュール情報をスケジュール作成装置からカメラ装置に送信する。すると、カメラ装置はこれを受信して記憶し、スケジュール時刻に撮影を行った場合には、そのスケジュール情報のスケジュール内容に基づいて、前記撮影条件記憶手段に記憶されている複数の撮影条件のいずれかが選択されて設定される。よって、ユーザは撮影条件設定操作を行う必要なく、自動的に設定された撮影条件で撮影を行うことができる。また、設定される撮影条件は、撮影条件記憶手段に記憶されている撮影条件であり、この撮影条件がスケジュール情報のスケジュール内容に基づいて選択されることから、スケジュール内容に応じたシーンに適切な撮影条件を自動設定して撮影を行うことが可能なシステムを構築することができる。
【発明の効果】
【００１７】
以上説明したように本発明に係るカメラ装置及びカメラ制御プログラムによれば、予めスケジュール情報記憶手段にスケジュール時刻、スケジュール内容及び撮影条件識別情報からなるスケジュール情報、あるいはスケジュール時刻及びスケジュール内容からなるスケジュール情報を記憶させておくことにより、スケジュール時刻に撮影を行った際に、ユーザは撮影条件設定操作を行う必要なく、自動的に設定された撮影条件で撮影を行うことができる。また、設定される撮影条件は、撮影条件記憶手段に記憶されている撮影条件であり、この撮影条件がスケジュール情報の撮影条件識別情報に基づいて選択されることから、スケジュール情報のスケジュール内容に応じたシーンに適切な撮影条件を設定して撮影を行うことができる。
【００１８】
また、本発明に係るカメラシステムによれば、予めスケジュール作成装置でスケジュール時刻、スケジュール内容及び撮影条件識別情報からなるスケジュール情報、あるいはスケジュール時刻及びスケジュール内容からなるスケジュール情報を作成してカメラ装置に送信しておくことにより、スケジュール時刻に撮影を行った際に、ユーザは撮影条件設定操作を行う必要なく、自動的に設定された撮影条件で撮影を行うことができる。また、設定される撮影条件は、撮影条件記憶手段に記憶されている撮影条件であり、この撮影条件がスケジュール情報の撮影条件識別情報に基づいて選択されることから、スケジュール情報のスケジュール内容に応じたシーンに適切な撮影条件を設定して撮影を行うことが可能なシステムを構築することができる。
【発明を実施するための最良の形態】
【００１９】
（第１の実施の形態）
以下、本発明の第１の実施の形態を図に従って説明する。図１に示すように、本発明の各実施の形態に共通すカメラシステムは、スケジュール作成装置としてパーソナルコンピュータ１と、このパーソナルコンピュータ１にＵＳＢケーブル２を介して着脱自在に接続されるデジタルカメラ４とで構成される。デジタルカメラ４は、略直方体形状の本体４０１を有し、この本体４０１の前面には後述する光学レンズ４０７と発光部４０６が配置されている。また、背面には液晶表示部４０２が配置され、上面にはシャッターキー４０５とが配設されている。
【００２０】
図２は、前記パーソナルコンピュータ１の電気的な概略構成を示すブロック図である。このパーソナルコンピュータ１は、制御部１０１、ＲＯＭ１０２、ＲＡＭ１０３、通信部１０４、表示部１０５、及び操作部１０７がシステムバス１０６により相互に接続されたシステムである。制御部１０１は、ＲＯＭ１０２に記憶されているプログラムに基づき動作し、スケジュール作成表示処理を実行するとともに、各部を制御するものである。ＲＯＭ１０２には、前記各部を制御プログラムが記憶されているとともに、後述するスケジュール作成表示処理を実行するためのスケジュール作成アプリケーションプログラムが格納されている。ＲＡＭ１０３には、作成されたスケジュール情報を記憶するとともに、制御部１０１のワークエリアとして使用される。通信部１０４は、後述するデジタルカメラ４の通信部４１７とＵＳＢケーブル２を介して通信を行う機能を有している。表示部１０５は、ＣＲＴやＬＣＤで構成され、操作部１０７はキーボードからなる。
【００２１】
図３は、デジタルカメラ４の電気的な回路構成を示すブロック図である。このデジタルカメラは、前記本体４０１の前面に配置された光学レンズ４０７、この光学レンズ４０７により絞り４３０を介して結像されるＣＣＤ等の撮影素子４０８と、撮影素子４０８を駆動するためのＴＧ４０９と、撮影素子４０８から出力された撮影信号を保持するＣＤＳ、その撮影信号を増幅するゲイン調整アンプ（ＡＧＣ）、増幅後の撮影信号をデジタル信号に変換するＡ／Ｄ変換器（ＡＤ）からなるユニット回路４１０を有している。そして、被写体の像が光学レンズ４０７及び絞り４３０を介して撮影素子４０８上に結像され、撮影素子４０８は信号を出力する。この撮影素子４０８から出力された信号は、ユニット回路４１０にて、サンプリング、増幅、デジタル化され、画像処理回路／ＣＰＵ４１１に送られて、この画像処理回路／ＣＰＵ４１１内で輝度に変換され、輝度の積分やヒストグラム処理が行われる。
【００２２】
前記光学レンズ４０７は、ＡＦモータ等を備えるレンズ駆動回路４１２に保持されており、レンズ駆動回路４１２が画像処理回路／ＣＰＵ４１１の制御により駆動されることにより光軸方向に移動し、撮影素子４０８に結像される被写体像のフォーカス、及び拡大倍率を調整する。また、ＡＥ制御時には、撮影素子４０８が、画像処理回路／ＣＰＵ４１１から送られるシャッターパルスに基づきＴＧ４０９によって駆動され、その電荷蓄積時間を制御される。これにより電子シャッターが実現される。
【００２３】
画像処理回路／ＣＰＵ４１１は各種の信号処理、及び画像処理機能を備えたものであり、ユニット回路４１０を経てデジタル信号に変換された撮影信号からビデオ信号を生成し、撮影素子４０８によって撮影した被写体像をスルー画像としてＴＦＴ液晶モニター等からなる前記液晶表示部４０２に表示させる。また、撮影時には、撮影信号を圧縮してＪＰＥＧフォーマットの画像ファイルを生成し、それを最終的にはフラッシュメモリ等からなる着脱自在な記憶メディア４１３に記憶させ、再生時には圧縮した画像ファイルを伸張して液晶表示部４０２に表示させる。なお、画像処理回路／ＣＰＵ４１１は、現在日時を計時する時計部４１４を備えており、記憶メディア４１３は着脱自在である。
【００２４】
さらに、画像処理回路／ＣＰＵ４１１には、前記シャッターキー４０５や図示しない他のキーを有する操作キー部４１５、ＲＯＭ４１６、通信部４１７、ストロボ回路４１８、絞り駆動部４１９、ＲＡＭ４２０、及びアラーム発生部４６０が接続されている。ＲＯＭ４１６は、画像処理回路／ＣＰＵ４１１による各部の制御及び各種データ処理に必要な動作プログラムが記録されているともに、後述するフローチャートに示す処理を実行するためのプログラムやスケジュール情報を受信して後述するスケジュール記憶部４５０に記憶させるためのプログラムが記憶されている。さらに、ＲＯＭ４１６には、撮影条件記憶部４４０が設けられている。
【００２５】
通信部４１７は、ＵＳＢケーブル２を介して前記パーソナルコンピュータ１の通信部１０４に接続され、データの授受を行う。ストロボ回路４１８は、前記発光部４０６を発光動作させる回路であり、絞り駆動部４１９は前記絞り４３０を駆動する回路部である。ＲＡＭ４２０は、各種データの記憶や画像処理回路／ＣＰＵ４１１のワークエリアとして使用されるとともに、スケジュール記憶部４５０を有している。アラーム発生部４６０は、画像処理回路／ＣＰＵ４１１の指示に従ってアラーム音を発生する回路部である。
【００２６】
図４は、前記撮影条件記憶部４４０のメモリ構成を示す概念図である。この撮影条件記憶部４４０には、「ＡＵＴＯ」「風景」・・・「スポーツ」「マニュアル」等の撮影条件識別情報毎に、撮影条件が記憶されている。この撮影条件は、「フォーカス」「シャッター速度」「絞り」「ストロボ」等の撮影条件要素毎に適切な撮影条件を記憶したものである。
【００２７】
図５は、前記スケジュール記憶部４５０のメモリ構成を示す概念図であり、このスケジュール記憶部４５０は、スケジュール時刻・日付記憶領域４５１、アラーム時刻記憶領域４５２、スケジュール内容（件名、場所）記憶領域４５３、及び撮影条件識別情報記憶領域４５４で構成されている。
【００２８】
以上の構成にかかる本実施の形態において、ユーザはパーソナルコンピュータ１を立ち上げて前記スケジュール作成アプリケーションプログラムを起動させる。これにより、パーソナルコンピュータ１の表示部１０５には、図６（Ａ）に示すスケジュール入力画面が表示される。このスケジュール入力画面は、「予定」の「件名」「場所」「開始時刻」「終了時刻」「アラーム」の入力項目及び「優先撮影モード」の選択項目で構成され、「選択項目の優先撮影モード」は「ＡＵＴＯ」「風景」「ポートレート」「夜景」「マクロ」「スポーツ」「マニュアル」の選択肢で構成されている。ユーザは、操作部１０７を操作することにより、各入力項目に対する入力を行うとともに選択肢の選択を行い、これにより図６（Ａ）及び（Ｂ）に示すように、入力が完了する。そして、入力完了後、操作部１０７にて所定の記憶指示操作を行うことにより、図示した各入力項目及び選択項目に対応する入力結果からなるスケジュール情報がＲＡＭ１０３に記憶されることとなる。
【００２９】
しかる後に、ユーザは図１に示したようにパーソナルコンピュータ１にＵＳＢケーブル２を介してデジタルカメラ４を接続し、ＲＡＭ１０３に記憶されている前記スケジュール情報を送信する。すると、デジタルカメラ４は画像処理回路／ＣＰＵ４１１は通信部４１７を制御してスケジュール情報を受信し、スケジュール記憶部４５０に記憶させる。これにより、スケジュール記憶部４５０のスケジュール時刻・日付記憶領域４５１には、前記スケジュール情報の「開始時刻」「終了時刻」が、アラーム時刻記憶領域４５２には「アラーム」の時刻が、スケジュール内容（件名、場所）記憶領域４５３には「件名」「場所」が、撮影条件識別情報記憶領域４５４には選択された「優先撮影モード」が（図６（Ａ）の場合「スポーツ」、同図（Ｂ）の場合「風景」）が記憶される。
【００３０】
このようにスケジュール記憶部４５０へのデータの記憶を完了したならば、ＵＳＢケーブル２からデジタルカメラ４を取り外し、撮影を行うべくデジタルカメラ４を携帯して外出する。そして、ユーザが操作キー部４１５に設けられているモード切換スイッチを操作して撮影モードを設定すると、デジタルカメラ４の画像処理回路／ＣＰＵ４１１は前記プログラムに基づき、図７のフローチャートに示す処理を実行する。
【００３１】
すなわち、シャッターキー４０５が半押し操作されたか否かを常時監視する（ステップＳ１０１）。シャッターキー４０５に対する操作がない場合には、時計部４１４が計時している現在時刻とアラーム時刻記憶領域４５２に記憶されている時刻とを比較することにより、スケジュールのアラーム時刻となったか否かを判断する（ステップＳ１０２）。アラーム時刻となった場合には、アラーム発生部４６０を起動してアラームを発生させる（ステップＳ１０３）。したがって、ユーザはこのアラームにより、スケジュール開始時刻が近付いたことを知ることができる。
【００３２】
また、ステップＳ１０２での判断の結果、アラーム時刻でない場合には、操作キー部４１５のモード切換スイッチが操作されたか否かを判断する（ステップＳ１０４）。モード切換スイッチが操作されずに撮影モードの状態が継続している場合には（ステップＳ１０４；ＮＯ）、ステップＳ１０１からの処理を繰り返す。モード切換スイッチが操作された場合には（ステップＳ１０４；ＹＥＳ）、モード切換処理を実行して（ステップＳ１０５）、切り換えられた他のモードへ移行する。
【００３３】
一方、ステップＳ１０１での判断の結果、シャッターキー４０５が半押し操作された場合には、時計部４１４が計時している現在時刻とスケジュール時刻・日付記憶領域４５１に記憶されているスケジュール時刻とを比較することにより、現在時刻に対応するスケジュールがあるか否かを判断する（ステップＳ１０６）。スケジュール時刻となっておらず、現在時刻に対応するスケジュールがない場合には（ステップＳ１０６；ＮＯ）、更に前後１時間以内のスケジュールがある否かを判断する（ステップＳ１０７）。そして、ある場合には、後述するステップＳ１０９の処理を行い、ない場合には撮影条件手動選択処理を実行する（ステップＳ１０８）。この撮影条件手動選択処理では、操作キー部４１５に設けられているマニュアル撮影時の撮影条件設定キーの操作により予め設定されている絞り値やシャッター速度を選択して設定し、しかる後にステップＳ１１１に進む。
【００３４】
他方、ステップＳ１０６での判断の結果、現時点のスケジュールがある場合には、当該スケジュールの撮影条件識別情報に基づき１つ（１組）の撮影条件を読み出す（ステップＳ１０９）。すなわち、前述のように図６（Ａ）に示したスケジュール情報が、スケジュール記憶部４５０に記憶されていることから、現在時刻が「２００３年８月２０日９時」であるとすると、スケジュール記憶部４５０には現時点のスケジュールがあることになり、このスケジュールの撮影条件識別情報は「スポーツ」である。また、撮影条件識別情報「スポーツ」の撮影条件は、図４の撮影条件記憶部４４０に示したように「フォーカス」＝ＡＦ、「シャッター速度」＝１／１０００、「絞り」＝オート、「ストロボ」＝オート・・・である。
【００３５】
したがって、ステップＳ１０９では、「スポーツ」の撮影条件である「フォーカス」＝ＡＦ、「シャッター速度」＝１／１０００、「絞り」＝オート、「ストロボ」＝オート・・・を読み出し、次にこの読み出した撮影条件をセットする（ステップＳ１１０）。これにより、レンズ駆動回路４１２が動作して光学レンズ４０７を合焦させ、シャッター速度は１／１０００に固定され、絞り４３０は絞り駆動部４１９により自動調整され、ストロボ回路４１８は周囲の明るさに応じて発光可能な状態とされる等の処理が実行される。
【００３６】
次に、シャッターキー４０５が全押しされたか否かを判断し（ステップＳ１１１）、全押しされた時点で撮影処理を実行する（ステップＳ１１２）。つまり、被写体の像が光学レンズ４０７及び絞り４３０を介して結像された撮影素子４０８からの信号は、ユニット回路４１０にてデジタル化され、画像処理回路／ＣＰＵ４１１内で前記撮影条件に応じた処理が必要である場合には当該処理が施されて、ＪＰＥＧフォーマットの画像ファイルに生成され、記憶メディア４１３に記憶される。
【００３７】
したがって、ユーザがスケジュール時刻に撮影を行う際に、撮影条件設定操作を行う必要なく、自動的に設定された撮影条件で撮影して画像を記憶メディア４１３に記憶させることができる。しかも、ステップＳ１１０でセットされる撮影条件は、撮影条件記憶部４４０に記憶されている適切な撮影条件であり、この撮影条件がスケジュール情報の撮影条件識別情報に基づいて選択設定されたものである。よって、スケジュール情報のスケジュール内容（町内運動会）に応じたシーンに適切な撮影条件を自動設定して撮影を行うことができる。
【００３８】
（第２の実施の形態）
【００３９】
図８は、本発明の第２の実施の形態におけるスケジュール記憶部４５０のメモリ構成を示す概念図であり、このスケジュール記憶部４５０は、スケジュール時刻・日付記憶領域４５１、スケジュール内容（件名、場所）記憶領域４５３のみが設けられている。したがって、図１に示したようにパーソナルコンピュータ１にＵＳＢケーブル２を介してデジタルカメラ４を接続し、ＲＡＭ１０３に記憶されている前記スケジュール情報を送信すると、スケジュール記憶部４５０のスケジュール時刻・日付記憶領域４５１に、前記スケジュール情報の「開始時刻」「終了時刻」が記憶され、スケジュール内容（件名、場所）記憶領域４５３に「件名」「場所」が記憶される。
【００４０】
このようにスケジュール記憶部４５０へのデータの記憶を完了したならば、ＵＳＢケーブル２からデジタルカメラ４を取り外し、撮影を行うべくデジタルカメラ４を携帯して外出する。そして、ユーザが操作キー部４１５に設けられているモード切換スイッチを操作して撮影モードを設定すると、デジタルカメラ４の画像処理回路／ＣＰＵ４１１は前記プログラムに基づき、図９のフローチャートに示す処理を実行する。
【００４１】
すなわち、シャッターキー４０５が半押し操作されたか否かを常時監視する（ステップＳ２０１）。シャッターキー４０５が半押し操作された場合には、時計部４１４が計時している現在時刻とスケジュール時刻・日付記憶領域４５１に記憶されているスケジュール時刻とを比較することにより、現在時刻に対応するスケジュールがあるか否かを判断する（ステップＳ２０２）。スケジュール時刻となっておらず、現在時刻に対応するスケジュールがない場合には（ステップＳ２０２；ＮＯ）、当日のスケジュールがある否かを判断する（ステップＳ２０３）。そして、ある場合には、現時点に、最も近いスケジュールを選択して（ステップＳ２０４）、後述するステップＳ２０６の処理を行い、ない場合には撮影条件手動選択処理を実行する（ステップＳ２０８）。すなわち、操作キー部４１５に設けられているマニュアル撮影時の撮影条件設定キーの操作により、予め設定されている絞り値やシャッター速度を選択して設定し、しかる後にステップＳ２０８に進む。他方、ステップＳ２０２での判断の結果、現時点のスケジュールがある場合には、当該スケジュールのスケジュール内容に基づいて撮影条件を選択して読み出す（ステップＳ２０６）。このステップＳ２０６において、スケジュール内容に基づいて撮影条件を選択して読み出す処理は例えば以下のようにして行う。
【００４２】
本実施の形態においては、図４に示した「ＡＵＴＯ」「風景」「ポートレート」「夜景」「マクロ」「スポーツ」「マニュアル」等の撮影条件毎にキーワードを記憶したキーワードテーブルをＲＯＭ４１６に設けておく。このキーワードテーブルには、例えば「スポーツ」に対応して「運動会」や「グランド」等のキーワードが記憶され、「風景」に対応して「ハイキング」「高原」等のキーワードが記憶されている。また、前述のように図６（Ａ）に示した件名「町内運動会」や場所「＊＊町立グラウンド」は、スケジュール記憶部４５０のスケジュール内容記憶領域４５３に記憶させてあることから、このスケジュール内容記憶領域４５３に記憶させてあるスケジュール内容からキーワード「運動会」や「グランド」を抽出することができる。そして、この抽出したキーワードに基づき、前記キーワードテーブルから「スポーツ」を選択し、この「スポーツ」に対応する撮影条件を撮影条件記憶部４４０から読み出す。
【００４３】
しかし、キーワードテーブルに記憶されているキーワードが必ずしもスケジュール内容記憶領域４５３に記憶されているとは限らないので、次のステップＳ２０７で選択が不可能であったか否かを判断し、選択不可能であった場合には前述のステップＳ２０５に進む。
【００４４】
また、選択可能であった場合には（ステップＳ２０７；ＮＯ）、読み出した撮影条件をセットする（ステップＳ２０８）。したがって、本実施の形態においても現在時刻が「２００３年８月２０日９時」であるとすると、スケジュール記憶部４５０には現時点のスケジュールがあることになり、このスケジュールの内容は、「町内運動会」「＊＊町立グラウンド」であるので、前述の実施の形態と同様に、「スポーツ」の撮影条件（「フォーカス」＝ＡＦ、「シャッター速度」＝１／１０００、「絞り」＝オート、「ストロボ」＝オート・・・）がセットされる。
【００４５】
次に、シャッターキー４０５が全押しされたか否かを判断し（ステップＳ２０９）、全押しされた時点で撮影処理を実行する（ステップＳ２１０）。これにより、前述と同様に、ＪＰＥＧフォーマットの画像ファイルに生成されて、記憶メディア４１３に記憶される。したがって、ユーザがスケジュール時刻に撮影を行う際に、撮影条件設定操作を行う必要なく、自動的に設定された撮影条件で撮影して画像を記憶メディア４１３に記憶させることができる。しかも、ステップＳ２０９でセットされる撮影条件は、撮影条件記憶部４４０に記憶されている適切な撮影条件であり、この撮影条件がスケジュール内容に基づいて選択設定されたものである。よって、スケジュール情報のスケジュール内容（町内運動会）に応じたシーンに適切な撮影条件を自動設定して撮影を行うことができる。
【００４６】
なお、第２の実施の形態においては、図８に示したスケジュール時刻・日付記憶領域４５１、スケジュール内容（件名、場所）記憶領域４５３のみを有するスケジュール記憶部４５０を用いるようにしたが、図１０に示すように、さらにアラーム時刻記憶領域４５２を有するスケジュール記憶部４５０を用いるようにしてもよい。これにより、図９に鎖線で示したように、ステップＳ２０１の判断がＮＯであった場合には、第１の実施の形態におけるステップＳ１０２〜Ｓ１０５と同様の処理を行うことができる。
また、各実施の形態においてはカメラ装置としてデジタルカメラ４を用いる場合を示したが、カメラ付き携帯電話やカメラ付きＰＤＡを用いるようにしてもよい。
【図面の簡単な説明】
【００４７】
【図１】本発明の各実施の形態に共通するシステム構成図である。
【図２】各実施の形態に共通するパーソナルコンピュータの概略回路構成を示すブロック図である。
【図３】各実施の形態に共通するデジタルカメラの回路構成を示すブロック図である。
【図４】撮影条件記憶部のメモリ構成図である。
【図５】本発明の第１の実施の形態におけるスケジュール記憶部のメモリ構成図である。
【図６】スケジュール作成画面例を示す図である。
【図７】第１の実施の形態における処理手順を示すフローチャートである。
【図８】本発明の第２の実施の形態におけるスケジュール記憶部のメモリ構成図である。
【図９】同の実施の形態における処理手順を示すフローチャートである。
【図１０】本発明の他の実施の形態におけるスケジュール記憶部のメモリ構成図である。
【符号の説明】
【００４８】
１    パーソナルコンピュータ
２    ＵＳＢケーブル
４    デジタルカメラ
１０１    制御部
１０４    通信部
１０７    操作部
４０５    シャッターキー
４０６    発光部
４０７    光学レンズ
４０８    撮影素子
４０９    ＴＧ
４１０    ユニット回路
４１１    画像処理回路／ＣＰＵ
４１２    レンズ駆動回路
４１３    記憶メディア
４１４    時計部
４１５    操作キー部
４１６    ＲＯＭ
４１７    通信部
４１８    ストロボ回路
４２０    ＲＡＭ
４４０    撮影条件記憶部
４５０    スケジュール記憶部
４５１    スケジュール時刻・日付記憶領域
４５２    アラーム時刻記憶領域
４５３    スケジュール内容（件名、場所）記憶領域
４５４    撮影条件識別情報記憶領域
４６０    アラーム発生部
【図１】
2005091659.tif 000003
【図２】
2005091659.tif 000004
【図３】
2005091659.tif 000005
【図４】
2005091659.tif 000006
【図５】
2005091659.tif 000007
【図６】
2005091659.tif 000008
【図７】
2005091659.tif 000009
【図８】
2005091659.tif 000010
【図９】
2005091659.tif 000011
【図１０】
2005091659.tif 000012